(57)【要約】本発明は消火器に係り、より詳しくは薬剤観察部を介して、本体内に消火薬剤が所定量だけ充填されているかを肉眼で容易に観察することができるばかりか、充填された薬剤が堅くなっていないかを容易に確認できるようにした消火器に関するものである。
2005503215.tif 000002
【特許請求の範囲】
【請求項１】
内部に所定量の消火薬剤と所定圧力のガスが充填されている本体と、
前記本体の一側に着脱可能に装着されるヘッドと、
前記ヘッドに設けられる１対の取っ手部と、
一端が前記本体の内部と連通し他端が本体の外側に露出し、前記本体内の消火薬剤を外部へ噴出させる消火ホースとを含む消火器において；
前記本体は、前記ヘッドと螺合されるようにネジ部を有する上側結合部と、地面に支持される下側支持部と、前記上側結合部と前記下側支持部間に設けられる胴体部とからなって互いに結合され、
前記胴体部には、前記本体内に充填された前記消火薬剤を観察するため、両端が前記上側結合部と前記下側支持部に隣接するように前記本体の長手方向に沿って形成される薬剤観察部が設けられることを特徴とする消火器。
【請求項２】
請求項１において、前記薬剤観察部は、前記胴体部の長手方向に沿って形成される貫通孔の裏面側に透明窓を固定させてなることを特徴とする消火器。
【請求項３】
請求項２において、前記透明窓の各辺が配置される前記胴体部の裏面が外側に折り曲げられて折曲部が形成され、前記透明窓の各辺は前記折曲部に配置された状態で互いにシーリングされることを特徴とする消火器。
【請求項４】
請求項３において、前記透明窓はポリカーボネイトからなることを特徴とする消火器。
【請求項５】
請求項１乃至４のいずれかにおいて、前記本体内に、前記薬剤観察部を介して外部から観察容易な位置に、前記本体内に充填されたガスの圧力を表示する圧力指示計が設けられることを特徴とする消火器。
【請求項６】
請求項５において、前記圧力指示計は、
内部に表示液が充填され、前記本体内のガス圧により収縮及び膨張する弾性袋と、
透明材の管状部からなり、側部に少なくとも一つの基準表示線がマーキングされ、端部が弾性袋と連通するように接合された密閉管とからなり、
前記本体内のガス圧により前記弾性袋が収縮する場合、前記弾性袋内の表示液が前記密閉管内を上昇するようになることを特徴とする消火器。
【請求項７】
請求項６において、前記本体内のガス圧により前記弾性袋が収縮する場合、前記表示液が前記密閉管の基準表示線に到達すると、前記本体内のガス圧が適正圧力に維持された状態と認められることを特徴とする消火器。
【請求項８】
請求項６又は７において、前記表示液は識別可能な色相を有することを特徴とする消火器。
【請求項９】
請求項６において、前記透明窓には、前記圧力指示計を支持するための少なくとも一つのホルダが設けられることを特徴とする消火器。
【発明の詳細な説明】
【技術分野】
【０００１】
本発明は消火器に係り、より詳しくは薬剤観察部を介して、本体内に消火薬剤が所定量だけ充填されているかを肉眼で容易に観察することができるばかりか、充填された薬剤が堅くなっていないかを容易に確認できるようにした消火器に関するものである。
【背景技術】
【０００２】
消火器は、火災の初期段階で消火剤の冷却又は空気遮断などの効果を用いて火を消す（以下、消火という）器具である。
【０００３】
かかる消火器は消火能力（容量）によって大型消火器と小型消火器に分類される。大型消火器は能力単位が１０単位及び２０単位以上のものをいい、小型消火器は能力単位１単位以上でありながら大型消火器の能力単位未満のものをいう。小型消火器は、一般人が容易に携帯、運搬できるので、一般の家庭、工場、会社などに備えられたものがたびたび見られる。
【０００４】
消火能力のほかにも、消火器は、本体内に充填された消火薬剤の種類によって、酸−アルカリ消火器、強化液消火器、ハロゲン化合物消火器、二酸化炭素消火器、粉末消火器などに分類される。しかし、粉末消火器を除く残りの消化薬剤を使用する消火器は消火薬剤の値段が比較的高いから、特定の場所に限り使用されるのが普通のことである。
【０００５】
消火能力のほかにも、消火器は加圧方式によって、加圧式消火器と蓄圧式消火器に分類される。
【０００６】
加圧式消火器は既存に使用される方式のものであって、消火薬剤が充填されている本体内に消火薬剤の放出のための加圧ガス容器（いわゆる、カートリッジともいう）を備えている。これは、使用者が安全ピンを引き抜いた状態で、１対の取っ手を互いに接近させると、加圧ガス容器が破れて、本体内の消火薬剤を外部へ噴出させる。
【０００７】
しかし、このような加圧式消火器は、本体内に別途の加圧ガス容器を設けなければならないだけでなく、加圧ガスの伝達のためのガス管及び消火薬剤の噴出管などを設けなければならないため、消火器の構造が複雑になる欠点がある。
【０００８】
したがって、最近では蓄圧式消火器の使用が増えている。以下において、消火器とは、前記の分類方式のなかで、小型消火器に蓄圧式を適用した粉末消火器をいう。
【０００９】
蓄圧式を採用する従来の消火器は、図１に示すように、内部に消火薬剤及びガスが充填されている本体１１０と、該本体１１０の一側に設けられるヘッド１２０と、該ヘッド１２０に装着される１対の取っ手部１２２と、一端が本体１１０の内部と連通し他端が本体１１０の外側に露出した消火ホース１３０と、該消火ホース１３０の端部に設けられるノズル部１３２とからなる。
【００１０】
１対の取っ手部１２２には、取っ手部１２２が任意に接近できないように、安全ピン１２４が設けられる。そして、ヘッド１２０には、本体１１０内に充填された窒素又は二酸化炭素ガスの圧力を示す圧力指示計１５０が設けられている。圧力指示計１５０には本体１１０内の圧力の変化に伴って指針が機械的に動く機械式が採用されている。
【００１１】
火災が発生した場合、消火器を把持した状態で安全ピン１２４を引き抜いて、１対の取っ手部１２２が互いに接近するようにする。すると、気密性を有する本体１１０内の高圧力と外部の低圧力間の違いにより、本体１１０内に充填された消火薬剤は消火ホース１３０を通過しノズル部１３２を介して噴出される。
【００１２】
ところが、このような従来の消火器においては、本体が密閉した金属材からなるため、本体内に消火薬剤が所定量だけ充填されているかを肉眼で観察することができないという問題点がある。
【００１３】
また、消火器本体内に消火薬剤が充填されていても、消火薬剤が堅くなっていると、消火器としての役目を果たすことができない。更に従来の消火器においては、本体内に充填された消火薬剤が堅くなっていないかを確認し難い欠点がある。
【００１４】
そして、取っ手部に設けられた圧力指示計を介して本体内の圧力を確認するようになっているが、従来の圧力指示計は機械式を採用しているため、不良率が比較的高くて、圧力指示計の指針が正常に表示しているにもかかわらず、消火器が正常に作動しない場合がたびたび発生する問題点がある。また、圧力指示計が消火器の外側に露出しているので、消火器の運搬又は移動の際、外部衝撃により壊れ易いという欠点がある。
【発明の開示】
【発明が解決しようとする課題】
【００１５】
したがって、本発明は前記のような問題点を解決するためになされたもので、本発明の目的は、薬剤観察部を介して、本体内に消火薬剤が所定量だけ充填されているかを肉眼で容易に観察することができるばかりか、充填された薬剤が堅くなっていないかを容易に確認できるようにした消火器を提供することにある。
【００１６】
本発明のほかの目的は、薬剤観察部に近い本体内部に機械式以外の方式の圧力指示計を設けることにより、本体内にガスが所定圧力で維持されているかを容易に確認することができるだけでなく、圧力指示計が誤動作することを防止し、外部衝撃により圧力指示計が損傷することを防止することができる消火器を提供することにある。
【課題を解決するための手段】
【００１７】
前記のような目的を達成するため、本発明は、内部に所定量の消火薬剤と所定圧力のガスが充填されている本体と、前記本体の一側に着脱可能に装着されるヘッドと、前記ヘッドに設けられる１対の取っ手部と、一端が前記本体の内部と連通し他端が本体の外側に露出し、前記本体内の消火薬剤を外部へ噴出させる消火ホースとを含む消火器において、前記本体は、前記ヘッドと螺合されるようにネジ部を有する上側結合部と、地面に支持される下側支持部と、前記上側結合部と前記下側支持部間に設けられる胴体部とからなって互いに結合され、前記胴体部には、前記本体内に充填された前記消火薬剤を観察するため、両端が前記上側結合部と前記下側支持部に隣接するように前記本体の長手方向に沿って形成される薬剤観察部が設けられることを特徴とする消火器を提供する。
【００１８】
前記薬剤観察部は、前記胴体部の長手方向に沿って貫通孔を形成し、前記胴体部の裏面の貫通孔領域に透明窓を固定させることによりなる。
【００１９】
前記透明窓の各辺が配置される前記胴体部の裏面が外側に折り曲げられて折曲部が形成され、前記透明窓の各辺は前記折曲部に配置された状態で互いにシーリングされる。
【００２０】
前記透明窓はポリカーボネイトからなる。
【００２１】
前記本体内には、前記薬剤観察部を介して外部から観察容易な位置に、前記本体内に充填されたガスの圧力を表示する圧力指示計が設けられる。
【００２２】
前記圧力指示計は、内部に表示液が充填され、前記本体内のガス圧により膨張及び収縮する弾性袋と、透明材の管状部からなり、側部に少なくとも一つの基準表示線がマーキングされ、端部が弾性袋と連通するように接合された密閉管とからなり、前記本体内のガス圧により前記弾性袋が収縮する場合、前記弾性袋内の表示液が前記密閉管内を上昇するようになっている。
【００２３】
前記本体内のガス圧により前記弾性袋が収縮する場合、前記表示液が前記密閉管の基準表示線に到達すると、前記本体内のガス圧が適正圧力に維持されていると認められる。
【００２４】
前記表示液は識別可能な色相を有することが有利である。
【００２５】
前記透明窓には、前記圧力指示計を支持するための少なくとも一つのホルダが設けられることが好ましい。
【発明の効果】
【００２６】
前記のような本発明によると、薬剤観察部により、本体内に消化薬剤が所定量だけ充填されているかを肉眼で容易に観察することができるだけでなく、充填された薬剤が堅くなっていないかを容易に確認することができる。
【００２７】
また、本発明によると、薬剤観察部に近い本体内部に機械式でない圧力指示計を設けることにより、本体内にガス圧が所定圧力で維持されているかを容易に確認することができるだけでなく、圧力指示計が誤動作することを防止し、外部衝撃により圧力指示計が損傷することを防止することができる。
【発明を実施するための最良の形態】
【００２８】
以下、添付図面に基づいて本発明の消火器について説明する。
【００２９】
図２は本発明の一実施例による消火器の正面図である。同図に示すように、本発明の一実施例による消火器は、円筒状の消火器本体１０と、該本体１０の一側に着脱可能に装着されるヘッド２０と、該ヘッド２０に設けられ、消火器を作動させる１対の取っ手部２２と、一端が本体１０の内部と連通し他端が本体１０の外側に露出し、本体１０内の消火薬剤Ｐを外部へ噴出させる消火ホース３０と、該消火ホース３０の端部に設けられるノズル部３２とからなる。消火ホース３０は本体１０の側面に設けられたホースホルダ３４に保持される。
【００３０】
取っ手部２２は一側のヒンジ（図示せず）を軸として互いに近接又は離反する。このため、ヒンジが設けられた領域には、取っ手部２２を作動させるための安全ピン２４が設けられる。つまり、消火器を作動するためには、まず安全ピン２４を引き抜いて、取っ手部２２が互いに接近するように加圧するとよい。
【００３１】
本体１０の内部には所定量の消火薬剤Ｐと所定圧力のガスが充填されている。消火薬剤Ｐとしては種々のものが使用できるが、本実施例においては、１００メッシュ以上の微細度を有する炭酸水素ナトリウム粉末を採用し、本体１０の２／３ほどまで充填されることを基準としている。そして、本体１０内に充填されるガスとしては、窒素、二酸化炭素などを使用する。
【００３２】
図３ａは図２に示す消火器本体の分解図、図３ｂは図３ａに示す本体の胴体部の展開図である。同図に示すように、本体１０は、ヘッド２０と結合される上側結合部１２と、地面に支持される下側支持部１４と、上側結合部１２と下側支持部１４との間に設けられる胴体部１６とからなる。上側結合部１２の上端部には、ヘッド２０が螺合されるように、ネジ部１２ａが形成される。
【００３３】
上側結合部１２及び下側支持部１４が切頭漏斗状を有する一方、胴体部１６は板状の鉄板を巻いて円筒状に形成される（図３ｂの状態から図３ａの状態に製造）。その後、胴体部１６の両端を上側結合部１２と下側支持部１４にそれぞれ溶接で固定することにより、本体１０が完成する。
【００３４】
この際、本体１０の胴体部１６には、本体１０の長手方向に沿って、両端が上側結合部１２と下側支持部１４にそれぞれ隣接するように長く形成され、本体１０内に充填された消火薬剤Ｐの観察ができるようにする薬剤観察部４０が設けられる。
【００３５】
薬剤観察部４０はいろいろの方法で製造できるが、本発明の一実施例においては、つぎのように簡便に製造することが可能である。すなわち、図３ａ、図３ｂ及び図４ａに示すように、板状の胴体部１６の板面に長い貫通孔４１を形成し、貫通孔４１の縁部には胴体部１６の裏面側から前面側に折り曲げてなる折曲部４２を形成する。そして、貫通孔４１の周囲の折曲部４２の裏面側に透明窓４３を付着する。
【００３６】
この際、透明窓４３の縁部は、図４ａに示すように、胴体部１６に形成された折曲部４２に接触して配設される。このように互いに接触している折曲部４２と透明窓４３の縁部をシーリング部Ｓで相互固定させることにより、薬剤観察部４０を簡単に形成することができる。ここで、透明窓４３としてはポリカーボネイト（Ｐ／Ｐ）を採用し得る。
【００３７】
このように本体１０に薬剤観察部４０を設けることにより、本体１０内に消火薬剤Ｐが所定量（本体１０内の容積のおよそ２／３程度）だけ充填されているかを肉眼で容易に観察することができる。さらに、本実施例の消火器に設けられた薬剤観察部４０は消火器の長手方向に長く形成されているので、消火薬剤Ｐの充填状態をより容易に観察することができる。
【００３８】
そして、消火器を振るか又は裏返すことにより、本体１０内に充填されている消火薬剤Ｐが堅くなっているかを薬剤観察部４０を介して容易に判断することができる。もし、消火薬剤Ｐが堅くなっていると、消火器購入店から消火薬剤Ｐを取り替えることができる。
【００３９】
本体１０内には、図２に示すように、薬剤観察部４０を介して外部から観察容易な位置に、本体１０内に充填されたガスの圧力を表示する圧力指示計５０が設けられる。従来の消火器は、圧力指示計５０がヘッド２０に設けられるため、外部衝撃により壊れ易いという欠点があった。しかし、本発明の一実施例によると、圧力指示計５０を本体１０内に設けて、薬剤観察部４０を介して観察できるようにすることにより、圧力指示計５０の損傷を有効に防止できる。
【００４０】
また、従来の消火器に設けられた圧力指示計１５０はその作動方式が機械的な構造を採用しているが、本発明の一実施例においては、つぎのような方式で作動するようにして、圧力指示計５０が誤動作することを防止する。
【００４１】
図４ｂに示すように、透明窓４３には圧力指示計５０を支持するための１対のホルダ４４が設けられる。ホルダ４４は、一側が開口されるように設けられた１対の脚部４４ａ、４４ｂが相互接近する方向に弾性的に付勢されて、圧力指示計５０を堅く支持する。しかし、このような形態のホルダ４４以外の方式、例えばネジ及びフックの形態、あるいはゴムバンド形態のホルダを採用することもできる。
【００４２】
本発明の一実施例による圧力指示計５０は、図５ａ及び図５ｂに示すように、内部に表示液５４が充填され、本体１０内のガス圧により収縮及び膨張可能な弾性袋５１と、透明材の管状部からなり、側部に１対の基準表示線５２ａ、５２ｂがマーキングされ、端部が弾性袋５１と連通するように接合される密閉管５２とからなる。したがって、本体１０内のガス圧により弾性袋５１が収縮する場合、弾性袋５１内の表示液５４が密閉管５２内を上昇することになる。
【００４３】
表示液５４は非圧縮性の流体であって、水が適当である。しかし、水は無色であるため、その上昇高さを把握することが難しい。よって、本発明の実施例においては、表示液５４を識別の容易な色相にしている。通常、緑色を採用することができる。
【００４４】
そして、弾性袋５１には純粋なゴムであって、化学的に安定するだけでなく、丈夫で柔軟なラテックスを採用し、弾性袋５１のサイズ及び／又は厚さを調節することにより、密閉管５２内での表示液５４の上昇高さを調節することができる。
【００４５】
密閉管５２にマーキングされた基準表示線５２ａ、５２ｂは、図面に示すように、一定の間隔を置いて１対で設ける。したがって、１対の基準表示線５２ａ、５２ｂ間に表示液５４の上昇高さがあると、本体１０内のガス圧が適正状態にあることを示す。
【００４６】
本体１０内にガスが正常に充填されている場合、そのガス圧は９ｋｇ／ｍ３である。このようなガス圧により弾性袋５１が収縮することにより、その内部に存在する表示液５４が密閉管５２に沿って上昇し、密閉管５２にマーキングされた１対の基準表示線５２ａ、５２ｂ間に到達することになる。
【００４７】
このように１対の基準表示線５２ａ、５２ｂ間に表示液の上昇高さがあると、本体１０内のガス圧が適正圧力にある状態である。したがって、使用者は外部からも薬剤観察部４０を介して圧力指示計５０を直接観察することができるので、本体１０内のガス圧を容易に把握することができる。
【００４８】
したがって、本発明の実施例によると、本体１０に設けられた薬剤観察部４０を介して、本体１０内のガス圧が所定圧力を維持しているかを容易に確認することができるだけでなく、充填された薬剤が堅くなっているかを容易に確認することができる。
【００４９】
また、薬剤観察部４０に近い本体１０の内部に機械式でない圧力指示計５０を設けることにより、本体１０内のガス圧が所定圧力を維持しているかを容易に確認することができるだけでなく、圧力指示計５０が誤動作することを防止し、外部衝撃により圧力指示計５０が損傷することを防止することができる。
【００５０】
図４ａに示すように、ホルダ４４は、ホルダ４４が備える１対の脚部４４ａ、４４ｂを相互接近する方向に弾性的に付勢することによって、圧力指示計５０の密閉管５２を堅固に保持する。一方、図６に示すように、ホルダ４４に別途の係止突部５３を設けることによって、圧力指示計５０の密閉管５２は更に堅固に保持されることとなり、密閉管５２が下方に滑り落ちることもない。
【００５１】
図４ａに示す実施例によると、圧力指示計５０が透明窓４３から離隔されている。この場合、圧力指示計５０が消火薬剤Ｐ内に埋まってしまうと、消化薬剤Ｐの視覚的干渉のため、外部から圧力指示計５０を観察することができない。
【００５２】
このため、図６に示す実施例によると、圧力指示計５０を透明窓４３の背面に密着させることにより、圧力指示計５０と透明窓４３との隙間に消火薬剤Ｐが詰まらないようにすることができ、何の干渉もなしに外部から圧力指示計５０を確実に観察することができる。この場合は、圧力指示計５０の密閉管５２を長く形成して視覚的表示区間を広く確保することが有利であろう。
【図面の簡単な説明】
【００５３】
【図１】図１は従来の消火器の正面図である。
【図２】図２は本発明の一実施例による消火器の正面図である。
【図３ａ】図３ａは図２に示す消火器の本体の分解図である。
【図３ｂ】図３ｂは図３ａに示す本体のなかで胴体部の展開図である。
【図４ａ】図４ａは図２の薬剤観察部の拡大断面図である。
【図４ｂ】図４ｂは図４ａに示すホルダの平面図である。
【図５ａ】図５ａは圧力指示計の断面図である。
【図５ｂ】図５ｂは圧力指示計のほかの実施例の断面図である。
【図６】図６は図４ａに対応する本発明のほかの実施例による薬剤観察部の拡大断面図である。
【国際公開パンフレット】
2005503215.tif 000003
2005503215.tif 000004
2005503215.tif 000005
2005503215.tif 000006
2005503215.tif 000007
2005503215.tif 000008
2005503215.tif 000009
2005503215.tif 000010
2005503215.tif 000011
2005503215.tif 000012
2005503215.tif 000013
2005503215.tif 000014
2005503215.tif 000015
2005503215.tif 000016
2005503215.tif 000017
2005503215.tif 000018
2005503215.tif 000019
2005503215.tif 000020
2005503215.tif 000021
【国際調査報告】
2005503215.tif 000022